(57)【特許請求の範囲】
【請求項１】
紫外線を内部に照射して殺菌を行うクリーンブースであって、
紫外線が照射される対象空間を包囲する包囲体を備えており、
当該包囲体は、部屋の床から天井まで達する前記対象空間の側面全部を包囲するものであって、紫外線を反射するシートで構成されているクリーンブース。
【請求項２】
前記包囲体内にユーザが入ることが可能な請求項１記載のクリーンブース。
【請求項３】
前記包囲体の側面に入出用扉を備えた請求項１または請求項２記載のクリーンブース。
【請求項４】
前記包囲体の側面に透明な窓を備えた請求項１から請求項３いずれか一項記載のクリーンブース。
【請求項５】
前記包囲体を支持するためのフレームを更に備え、
前記包囲体は、当該フレームに取り付けられる請求項１から請求項４いずれか一項記載のクリーンブース。
【請求項６】
前記クリーンブースが設置される部屋の天井および側壁の一部を、クリーンブースの天面および側面の一部として利用する請求項１から請求項５いずれか一項記載のクリーンブース。
【請求項７】
前記包囲体は、前記対象空間を囲むように設けられたシートで構成されたカーテンである請求項１から請求項６いずれか一項記載のクリーンブース。
【請求項８】
前記包囲体は、当該クリーンブースが設置される部屋の天井に取り付けられる請求項１から請求項７いずれか一項記載のクリーンブース。
【請求項９】
前記包囲体は、部屋の天井に着脱可能に取り付けられる請求項８記載のクリーンブース。
【請求項１０】
前記包囲体は、着脱機構を有する吊り具により、部屋の天井に取り付けられる請求項９記載のクリーンブース。
【請求項１１】
前記対象空間の周囲に沿って配置され、当該対象空間を有する部屋の、床面と天井との間に取り付けられる複数の支柱を更に備え、
前記包囲体は、前記対象空間の側面を包囲するよう、前記支柱に取り付けられる請求項１から請求項１０いずれか一項記載のクリーンブース。
【請求項１２】
前記包囲体は、当該包囲体を構成する１以上のシートの上辺から所定の距離だけ下方となる位置に、当該包囲体を天井に取り付けるための取付部を有しており、
当該取付部を天井に取り付けることにより、前記包囲体を構成するシートの取付部よりも上方が天井に接する請求項１から請求項１１いずれか一項記載のクリーンブース。
【請求項１３】
前記包囲体の内部に紫外線照射器を備えている請求項１から請求項１２いずれか一項記載のクリーンブース。
【請求項１４】
前記シートは、紫外線を乱反射するシートである請求項１から請求項１３いずれか一項記載のクリーンブース。
【請求項１５】
前記シートは、高密度ポリエチレン不織布のシートである請求項１から請求項１４いずれか一項記載のクリーンブース。
【請求項１６】
前記包囲体は、天面を有していない請求項１から請求項１５いずれか一項記載のクリーンブース。
【請求項１７】
請求項１２記載のクリーンブースの包囲体。
【発明の詳細な説明】
【技術分野】
【０００１】
本発明は、クリーンブース等に関するものである。
【背景技術】
【０００２】
従来、室内から隔離されたクリーン空間を形成するカーテンと、前記クリーン空間へ除菌された空気を送風する空気清浄ユニットとを備えて構成されるクリーンブースが知られていた（例えば、特許文献１参照）。
【先行技術文献】
【特許文献】
【０００３】
【特許文献１】特開２００４−４４８２３号公報（第１頁、第１図等）
【発明の概要】
【発明が解決しようとする課題】
【０００４】
従来から、紫外線照射器等から殺菌力のある紫外線を照射することによって病院内のベッド等の設備の殺菌が行われていた。【０００５】
しかしながら、紫外線照射は人体にも有毒であるため、ＩＣＵ（集中治療室）等の多床室に設置された複数のベッドの内の一つのベッド等だけを殺菌する場合のように、一つの部屋の中の、必要な部分だけを紫外線照射によって殺菌したい場合であっても、隣のベッドの患者や、近くの医療従事者に紫外線の一部が照射されると、人体に悪影響を及ぼすことが考えられるため、安全に殺菌を行うためには、部屋を一旦、無人としたうえで、紫外線照射を行わなければならなかった。このため、部屋内の一部（例えば、部屋内に配置されたベッドや机等）を、紫外線を照射して殺菌する場合であっても、部屋内の患者や医療従事者等を、一旦、部屋外に移動させたりしなければならず、紫外線を用いた殺菌が容易に行えないという問題があった。また、移動が好ましくない患者がいる部屋などの場合、部屋を一旦無人とすることができず、紫外線照射による殺菌が行えない、という問題があった。【０００６】
また、従来においては、例えば、ベッドや机の下等の紫外線照射器等から照射される紫外線が直接当たりにくい部分の殺菌を行うことが難しい、という問題があった。【０００７】
このように、従来においては、紫外線照射による殺菌を容易に行うことができない、という課題があった。【０００８】
本発明は、上記のような課題を解消するためになされたものであり、紫外線照射による殺菌を容易に行うことができるクリーンブース等を提供することを目的とする。
【課題を解決するための手段】
【０００９】
本発明のクリーンブースは、紫外線が照射される対象空間を包囲する包囲体を備えており、包囲体が紫外線を反射するシートで構成されているクリーンブースである。【００１０】
かかる構成により、包囲体の内部に照射された紫外線が、紫外線を反射するシートで構成された包囲体で反射され、紫外線により、包囲体内であるブース内を容易に殺菌できる。また、照射された紫外線を外部に漏れにくくして、ブース外に悪影響を与えることなく、ブース内を容易に殺菌することができる。【００１１】
また、本発明のクリーンブースは、前記クリーンブースにおいて、包囲体の側面に入出用扉を備えるようにしてもよい。【００１２】
かかる構成により、包囲体内、すなわちブース内に入出用扉から出入りすることができる。【００１３】
また、本発明のクリーンブースは、前記クリーンブースにおいて、包囲体の側面に透明な窓を備えたクリーンブースしてもよい。【００１４】
かかる構成により、窓から、包囲体内、すなわちブース内を見ることができる。これにより、例えば、紫外線の照射状況等をモニターすることができる。【００１５】
また、本発明のクリーンブースは、前記クリーンブースにおいて、包囲体を支持するためのフレームを更に備え、包囲体は、フレームに取り付けられるようにしてもよい。【００１６】
かかる構成により、フレームによりシートで構成されている包囲体を支持して、クリーンブースを設置することができる。また、クリーンブースを簡易に設置できるため、例えば、部屋内の一部に、クリーンブースを設置することで、紫外線照射による部屋内の部分的な殺菌を容易に行うことができる。【００１７】
また、本発明のクリーンブースは、前記クリーンブースにおいて、包囲体は、クリーンブースが設置される部屋の天井に取り付けられるようにしてもよい。【００１８】
かかる構成により、天井に包囲体を取り付けることで、フレームなしにクリーンブースを設置することができ、クリーンブースを容易に設置することができる。これにより、紫外線照射による部屋内の部分的な殺菌を更に容易に行うことができる。【００１９】
また、本発明のクリーンブースは、前記クリーンブースにおいて、包囲体は、対象空間の天面および側面全体を包囲するようにてもよい。【００２０】
かかる構成により、紫外線を反射するシートで構成された包囲体で対象空間の天面および側面の全体を覆うことができ、紫外線でより容易にブース内を殺菌することができる。例えば、天面を設けることで、紫外線が照射される空間を小さくして、紫外線による殺菌の効率を高めることができる。【００２１】
また、本発明のクリーンブースは、前記クリーンブースにおいて、包囲体は、部屋の床面と床面以外の内面とに接している対象空間の、部屋と接する部分以外を包囲するようにしてもよい。【００２２】
かかる構成により、包囲体で覆う範囲を減らすことができ、包囲体に利用するシート量を削減できる。また、包囲体を設置する部屋等が狭い場合でも包囲体を設置しやすい。これにより、紫外線照射による部屋内の部分的な殺菌を更に容易に行うことができる。【００２３】
また、本発明のクリーンブースは、前記クリーンブースにおいて、包囲体は、部屋の床面から天井まで達する対象空間の、側面を包囲するようにしてもよい。【００２４】
かかる構成により、天井に取り付けるだけで包囲体を設置できるため、包囲体を設置しやすくすることができる。これにより、紫外線照射による部屋内の部分的な殺菌を更に容易に行うことができる。【００２５】
また、本発明のクリーンブースは、前記クリーンブースにおいて、包囲体は、部屋の天井に着脱可能に取り付けられるようにしてもよい。【００２６】
かかる構成により、必要なときに容易に包囲体を取り付けることができ、クリーンブースを容易に設置することができる。これにより、紫外線照射による部屋内の部分的な殺菌を更に容易に行うことができる。また、対象空間内を殺菌後は、包囲体を容易に撤去することが可能となる。【００２７】
また、本発明のクリーンブースは、前記クリーンブースにおいて、包囲体は、着脱機構を有する吊り具により、部屋の天井に取り付けられるようにしてもよい。【００２８】
かかる構成により、クリーンブースを、部屋内に容易に設置できる。これにより、紫外線照射による部屋内の部分的な殺菌を更に容易に行うことができる。【００２９】
また、本発明のクリーンブースは、前記クリーンブースにおいて、対象空間の周囲に沿って配置され、この対象空間を有する部屋の、床面と天井との間に取り付けられる複数の支柱を更に備え、包囲体は、対象空間の側面を包囲するよう、支柱に取り付けられるようにしてもよい。【００３０】
かかる構成により、クリーンブースを、部屋内に容易に設置できる。これにより、紫外線照射による部屋内の部分的な殺菌を更に容易に行うことができる。また、対象空間内を殺菌後は、包囲体を容易に撤去することが可能となる。【００３１】
また、本発明のクリーンブースは、前記クリーンブースにおいて、包囲体は、部屋の床面から天井まで達する対象空間の、側面を包囲するものであって、包囲体を構成するシートの上辺から所定の距離だけ下方となる位置に、包囲体を天井に取り付けるための取付部を有しており、取付部を天井に取り付けることにより、包囲体を構成するシートの取付部よりも上方が天井に接するようにしてもよい。【００３２】
かかる構成により、包囲体のシートの上辺と天井との隙間をなくして、紫外線照射時の天井側の隙間からの外部への紫外線の漏れを防ぐことができる。【００３３】
また、本発明のクリーンブースは、前記クリーンブースにおいて、包囲体の内部に紫外線照射器を備えているようにしてもよい。【００３４】
かかる構成により、紫外線照射器からブース内に紫外線を照射して適切に殺菌することができる。【００３５】
また、本発明のクリーンブースは、前記クリーンブースにおいて、シートは、紫外線を乱反射するシートとしてもよい。【００３６】
かかる構成により、クリーンブース内の紫外線照射器からの紫外線が直接到達しにくい箇所にも紫外線を到達させて、適切かつ容易に殺菌を行うことができる。【００３７】
また、本発明のクリーンブースは、前記クリーンブースにおいて、シートは、高密度ポリエチレン不織布のシートとしてもよい。【００３８】
かかる構成により、紫外線により効率よくブース内を殺菌できるとともに、クリーンブース内の紫外線照射器からの紫外線が直接到達しにくい箇所にも紫外線を到達させて、適切かつ容易に殺菌を行うことができる。
【発明の効果】
【００３９】
本発明によるクリーンブース等によれば、ブース内に照射した紫外線によりブース内を適切に殺菌することができる。
【図面の簡単な説明】
【００４０】
【図１】本発明の実施の形態におけるクリーンブースの斜視図
【図２】同クリーンブースの上面図（図２（ａ））、および正面図（図２（ｂ））
【図３】同クリーンブースの一部切欠斜視図
【図４】同クリーンブースの、包囲体を取り外した状態を示す斜視図
【図５】同クリーンブースの第一の変形例を示す図
【図６】同クリーンブースの第二の変形例を示す図（図６（ａ））、および第三の変形例を示す図（図６（ｂ））
【図７】同クリーンブースの吊り具の一例を説明するための図（図７（ａ）〜図７（ｃ））
【図８】同クリーンブースの第四の変形例を示す図（図８（ａ）、図８（ｂ））
【図９】同クリーンブースの第五の変形例を示す図
【図１０】同クリーンブースの包囲体を構成するシートの斜視図
【図１１】同クレーンブースの包囲体を構成するシートの上辺近傍部分を示す斜視図
【図１２】同クレーンブースの包囲体を構成するシートを取り付けた状態の斜視図（図１２（ａ））、側面図（図１２（ｂ））、および包囲体の取付部の貫通孔に支柱の上端を通した状態を示す図（図１２（ｃ））
【発明を実施するための形態】
【００４１】
以下、クリーンブース等の実施形態について図面を参照して説明する。なお、実施の形態において同じ符号を付した構成要素は同様の動作を行うので、再度の説明を省略する場合がある。
【００４２】
（実施の形態）
図１は、本実施の形態におけるクリーンブースの斜視図である。
図２は、本実施の形態におけるクリーンブースの上面図（図２（ａ））、および正面図（図２（ｂ））である。
図３は、本実施の形態におけるクリーンブースの一部切欠斜視図である。
図４は、本実施の形態におけるクリーンブースの、包囲体を取り外した状態を示す斜視図である。
【００４３】
なお、図３および図４においては、クリーンブース１内に紫外線照射器５０とベッド９０とが配置されている例を示している。ただし、クリーンブース１内に配置するものはこれらに限定されるものではない。クリーンブース１内には、ブース内の殺菌に用いられる紫外線照射器５０を配置することが好ましい。クリーンブース１は、例えば、ブース内の設備を殺菌する際に一時的に設置され、殺菌後に撤去されるものであってもよい。
【００４４】
クリーンブース１は、包囲体１０と、この包囲体１０を支持するフレーム２０を備える。
【００４５】
包囲体１０は、対象空間全体を包囲するよう配置される。対象空間とは、紫外線が照射される空間である。対象空間は、例えば、包囲体１０により他の空間から仕切られる空間であって、紫外線による殺菌対象となる空間である。ここでの他の空間から仕切られる空間は、例えば、他の空間から隔離される空間と考えてもよい。包囲体１０は、シート１０１で構成されている。包囲体１０は、例えば、対象空間の側面および上面を覆うシートで構成されている。ここでは、包囲体１０の形状が、角が落とされた底面を有さない直方体形状である場合を例に挙げて説明する。この包囲体１０は、シート１０１で構成されたテント等と考えてもよい。ただし、このサイズは一例であり、包囲体１０のサイズは、このサイズに限定されるものではなく、どのようなサイズでも良い。包囲体１０の下部と、包囲体１０が設置される場所（例えば、部屋等）の床面との間には、隙間が生じないようにすることが好ましい。包囲体１０は、複数のシート１０１が、線ファスナーや、面ファスナー、ボタンや、磁石等を用いて着脱可能に接続されたものであってもよい。
【００４６】
シート１０１は、紫外線を反射するシートである。紫外線は、例えば、波長が４００ｎｍ以下の電磁波である。シート１０１は、特に、紫外線の中でも殺菌力の強いＵＶ−Ｃ（ｕｌｔｒａｖｉｏｌｅｔ−Ｃ）を反射するシートであることが好ましい。ＵＶ−Ｃは波長が２００〜２８０ナノメートルの紫外線である。シート１０１は、紫外線の反射率が高いシートであることが好ましく、特に、ＵＶ−Ｃの反射率が高いシートであることが好ましい。シート１０１は、例えば、紫外線を６０％以上反射可能なシートであることが好ましく、８０％以上反射可能なシートであることがより好ましく、９０％以上反射可能なシートであることがさらに好ましく、９５％以上反射可能なシートであることが最も好ましい。シート１０１は、例えば、特に、ＵＶ−Ｃを６０％以上反射可能なシートであることが好ましく８０％以上反射可能なシートであることがより好ましく、９０％以上反射可能なシートであることがさらに好ましく、９５％以上反射可能なシートであることが最も好ましい。ただし、シート１０１の紫外線およびＵＶ−Ｃの反射率はこれら以下であってもよい。シート１０１は、紫外線を乱反射させる特性を有するシートであることが好ましく、特にＵＶ−Ｃを乱反射させる特性を有するシートであることが好ましい。例えば、シート１０１は、織布や不織布のように、表面にＵＶ−Ｃを乱反射させる凹凸を有するシートであることが好ましい。ＵＶ−Ｃの反射率が高く、ＵＶ−Ｃを乱反射させる特性を有するシート１０１は、例えば、高密度ポリエチレン不織布であることが好ましい。例えば、シート１０１は、０．５〜１０μｍのポリエチレンの極細長繊維をランダムに積層し、熱と圧力だけで結合させた高密度ポリエチレン不織布であることがより好ましい。ただし、シート１０１は、このような不織布に限定されるものではなく、例えば、織布であってもよく、不織布であってもよく、フィルム等であっても良い。また、シート１０１は、紫外線の反射率を高めるためのコーティング等が施されていても良い。例えば、シート１０１は、アルミ蒸着されたシートであることが好ましい。また、シート１０１の材料はポリエチレンに限定されるものではない。クリーンブース１を簡易に組立分解可能なものとするためには、シート１０１としては、曲げたり、折り畳んだりすることが可能な、柔軟性を有するシートを用いることが好ましい。
【００４７】
なお、包囲体１０は、全体がシート１０１で構成されていることが好ましいが、一部がシート１０１以外で構成されていても良い。例えば、包囲体１０の一部が、シート１０１以外のシートで構成されていても良い。また、例えば、包囲体１０の一部には、シート１０１以外の補強用のシートが取り付けられて補強されていても良い。なお、このような補強用のシートは、包囲体１０の外側に取り付けることが好ましい。
【００４８】
フレーム２０は、クリーンブース１が配置される矩形の領域の四隅にそれぞれ配置された４本の支柱２０１と、隣り合う支柱２０１の上端間にそれぞれ架けられた４本の梁２０２とを有している。ここでは、フレーム２０が組立可能な構造を有している場合を例に挙げて説明する。ただし、フレーム２０は、組立可能な構造を有するものに限定されるものではない。フレーム２０が組立可能な構造を有するということは、例えば、分解可能な構造や、折り畳み可能な構造や、伸縮可能な構造を有していることである。例えば、支柱２０１と梁２０２との接続部分が、着脱可能な構造を有していても良く、着脱可能な部材を介して接続されていてもよい。また、支柱２０１と梁２０２との接続部分が、例えば、折り畳み可能な部材を介して接続されていても良い。また、支柱２０１や梁２０２等が伸縮可能な構造を有していても良い。フレーム２０を着脱可能とする構成や、折り畳み可能とする構成や、伸縮可能とする構成については、公知技術であるため、ここでは、詳細な説明を省略する。フレーム２０の材質は、例えば、アルミニウムやステンレス等の金属である。ただし、フレーム２０の材質は問わない。
【００４９】
なお、フレーム２０は、上記のような構造を有するものに限定されるものではない。例えば、フレーム２０は、上記のような構造に加えて、さらに、補強用の梁、支柱、および筋交の一以上を有していてもよい。
【００５０】
包囲体１０は、フレーム２０に取り付けられる。ここでは、包囲体１０がフレーム２０の内側に取り付けられている例を示している。ここでは、包囲体１０は、ループ１０２およびベルト１０５によりフレーム２０に吊り下げられるように取り付けられている。ループ１０２およびベルト１０５の材質等は問わない。具体的には、包囲体１０の側面同士が交わる部分のそれぞれには、高さ方向に５つのループ１０２がそれぞれ取り付けられており、５つのループ１０２に、各支柱２０１が通される。また、包囲体１０の側面と上面とが交わる部分のそれぞれには、横方向に３つのベルト１０５が設けられており、各辺のベルト１０５はフレーム２０の各梁２０２に巻付けられて留められる。ベルト１０５は、ここでは、面ファスナーで留めることが可能なベルトである。ただし、ベルト１０５を留める機構は問わない。また、ループ１０２やベルト１０５の数や取り付け位置等は、フレーム２０に取り付けた包囲体１０が、フレーム２０により支持されるような数や位置であれば、その数や位置は問わない。
【００５１】
なお、包囲体１０をループ１０２およびベルト１０５を用いてフレーム２０に取り付ける例を示したが、包囲体１０をどのようにフレーム２０に取り付けるかは問わない。例えば、どのような取り付け具を用いて、包囲体１０をフレーム２０に取り付けてもよい。例えば、ループ１０２の代わりにベルト１０５や紐等を用いてもよい。また、ベルト１０５の代わりに、ループ１０２や紐等を用いてもよい。また、ループ１０２やベルト１０５の代わりに、支柱２０１や梁２０２を通すことができるスリーブ等を用いてもよい。また、ループ１０２やベルト１０５の代わりに、フックやボタン、磁石等を用いてもよい。なお、包囲体１０は、フレーム２０に対して着脱可能となるよう取り付けられるようにすることが好ましい。
【００５２】
包囲体１０の正面には、入出用扉１０３が設けられている。入出用扉１０３は、ここでは、包囲体１０と同様のシート１０１で構成されている。ここでは、入出用扉１０３の縁の一部と、入出用扉１０３で閉じられる包囲体１０の開口部分１０８の縁の一部とが繋がっており、繋がっていない部分においては、入出用扉１０３と開口部分１０８とを、例えば、線ファスナーや面ファスナー、ボタン、マグネット等の接続部材（図示せず）により留めることが可能となっており、接続部材を留めた状態で扉を閉じることができ、接続部材を外した状態で扉を開くことが可能となる。ただし、入出用扉１０３は、包囲体１０内に対してユーザが入出可能とする扉であって、閉じた状態で包囲体１０を閉じる（例えば、外部に対して仕切る）ことが可能な扉であれば、どのような構造を有していても良い。例えば、入出用扉１０３は、プレート状の扉であってもよく、金属等の枠体（図示せず）にシート１０１を取り付けた扉であっても良い。また、包囲体の１０の入出用扉１０３が取り付けられる開口部分１０８には、これらの扉をはめ込み可能な枠体（図示せず）が設けられていてもよい。また、入出用扉１０３は、シート１０１と同じ素材で構成されているいわゆるロールスクリーン等であってもよい。なお、入出用扉１０３の数や入出用扉１０３を設ける位置は、上記に限定されるものではなく、その数や位置は問わない。なお、包囲体１０の外側の、入出用扉１０３が配置される開口部分の縁の部分には、シート１０１以外の補強用のシートが取り付けられていてもよい。
【００５３】
包囲体１０の側面には、１または２以上の透明な窓１０４が設けられている。窓１０４は、包囲体１０の内部を確認するためのものである。包囲体１０を構成するシート１０１が、可視光を透過可能な場合は、窓１０４を省略しても良いが、可視光を透過できないものである場合には設けることが好ましい。ここでは、直方体形状の包囲体１０の４つの側面に、それぞれ１つずつ窓１０４が設けられている。ここでは特に、正面側の窓が、入出用扉１０３に設けられている場合を示している。なお、窓１０４の数および窓１０４を取り付ける位置は上記に限定されるものではなく、その数や位置は問わない。窓１０４の材質は、例えば、アクリル樹脂やビニール等の透明な樹脂や、ガラス等である。窓１０４は、例えば、曲げたり折り畳んだりすることが可能な材質、例えば柔軟性を有する材質であることが好ましい。窓１０４の内側（すなわち包囲体１０の内部側）には、紫外線を反射するためのコーティングがなされていることが好ましい。窓１０４の大きさや配置等は問わない。また、窓１０４の数は問わない。また、窓１０４の内側または外側には、紫外線を反射可能なカーテン（図示せず）や開閉可能な蓋（図示せず）等を設けてもよい。なお、包囲体１０の窓１０４および入出用扉１０３以外の部分、より好ましくは、窓１０４以外の部分は、全て紫外線を反射するシート１０１で構成されていることが好ましい。
【００５４】
紫外線照射器５０は、紫外線を照射する装置であり、例えば、照射する紫外線により殺菌を行うための装置である。紫外線照射器５０は、例えば、紫外線を照射する殺菌灯である紫外線照射器５０が照射する紫外線は、上述したようなＵＶ−Ｃであることが好ましい。紫外線照射器５０は、包囲体１０内に配置される。紫外線照射器５０は、広範囲に紫外線を照射可能なものが好ましく、例えば、四方に紫外線を照射可能なものが好ましい。紫外線照射器５０は、例えば、紫外線の照射方向を経時的に変更可能なものであっても良い。ここでは紫外線照射器５０として、長手方向が高さ方向となるよう四方に取り付けられた４つの直管型の殺菌灯を備えたタワー型の紫外線照射器を用いている。このような紫外線照射器としては、例えば、株式会社モレーンコーポレーション製のＵＶＤＩ−３６０（商品名）が利用可能である。ただし、紫外線照射器５０は、上記のようなものに限定されるものではない。なお、クリーンブース１が紫外線照射器５０を備えていても良く、クリーンブース１が紫外線照射器５０を備えていなくても良い。例えば、紫外線照射器５０は、クリーンブース１の一部と考えてもよく、一部と考えなくてもよい。
【００５５】
クリーンブース１の組立て方の一例を簡単に説明する。ここでは、フレーム２０が組立式である場合について説明する。まず、支柱２０１に梁２０２を取り付けてフレーム２０を組立てる。次に、高さ方向において畳まれたフレーム２０の４つの支柱２０１を適宜持ち上げて、支柱２０１を、包囲体１０の側面の４つの辺に取り付けられているループ１０２にそれぞれ通し、包囲体１０を高さ方向に引きあげる。そして、引きあげた状態で包囲体１０の上方に設けられた各ベルト１０５を梁２０２に巻付けて留めることで、クリーンブース１の組立てが終了する。ただし、組立て方はこれに限定されるものではない。
【００５６】
次に、クリーンブース１の利用方法の一例について簡単に説明する。ここでは、図３および図４に示すようにクリーンブース１の内側に紫外線照射器５０が配置されている場合について説明する。
【００５７】
クリーンブース１の包囲体１０の入出用扉１０３を閉じた状態で、紫外線照射器５０から紫外線を照射することで、クリーンブース１の内側、すなわち包囲体１０の内側に紫外線を照射する。これにより、包囲体１０内の紫外線が照射される空間である対象空間に紫外線を照射することができる。照射された紫外線により、対象空間を殺菌することができる。入出用扉１０３を開閉することで、ユーザはクリーンブース１内、すなわち包囲体１０内に出入りすることができる。
【００５８】
本実施の形態においては、対象空間の側面および天面のすべてが紫外線を反射するシート１０１で構成されているため、対象空間内に照射された紫外線のうちの側面や天面に照射された紫外線の多くが、シート１０１を透過したりシート１０１で吸収されたりせずに、シート１０１で反射されて対象空間内に再度照射されることとなる。これにより、対象空間内に照射された紫外線が包囲体１０で吸収されたり、包囲体１０を透過して外部に漏れたりしないようにして対象空間内に照射した紫外線のロスを減らすことができる。これにより、紫外線照射器５０等から対象空間内に照射した紫外線を効率良く利用して対象空間内を紫外線で適切に殺菌することができ、クリーンブース１内をクリーンな状態とすることができる。
【００５９】
また、紫外線が包囲体１０で反射されることにより、包囲体１０内である対象空間内に配置されたベッドや机の下等の、紫外線照射器５０の構造や配置によっては直接紫外線を照射しにくい位置にも、照射された紫外線が包囲体１０で反射してまわりこみやすくなる。これにより、紫外線照射器５０の照射位置等を変更したり、紫外線照射器５０の数を増設したり、紫外線照射器５０の出力等をあげたりすることなく、対象空間内の紫外線が照射されない領域を減らすことができ、紫外線を照射してブース内を適切に殺菌することが可能となる。
【００６０】
なお、紫外線照射による殺菌後、クリーンブース１が不要であれば、クリーンブース１は、部屋から撤去してよい。また、クリーンブース１を利用する場合、クリーンブース１をそのまま残しておくようにしてもよい。
【００６１】
以上、本実施の形態においては、包囲体１０が紫外線を反射するシート１０１で構成されているようにしたことにより、包囲体１０内（すなわちブース内）を紫外線の照射により効率良く容易に殺菌することができる。また、包囲体１０内の紫外線が外部に漏れにくくできるため、包囲体１０内を容易に、部分的に殺菌することができる。
【００６２】
また、包囲体１０がシート１０１で構成されているようにしたことにより、クリーンブース１を簡易に設置することができる。これにより、クリーンブース１を部屋内に容易に設置することができ、部屋内のクリーンブース１が設置された部分を、部分的に容易に殺菌することができる。
【００６３】
なお、上記実施の形態において、包囲体１０は、さらに、床面に配置されるシート１０１を有していても良い。例えば、包囲体１０は、対象空間の全周囲を覆うシート１０１であっても良い。なお、床面に配置されるシート１０１は、包囲体１０の他の部分と接続（例えば、接着や縫合）されていてもよく、接続されていなくてもよい。例えば、床面に配置されるシート１０１は、包囲体１０の他の部分とファスナーやボタン等により着脱可能に接続されていてもよい。
【００６４】
また、上記実施の形態においては、包囲体１０の形状が直方体形状である場合について説明したが、包囲体１０の形状は、直方体形状に限定されるものではない。例えば、包囲体１０の形状は、円柱形状であってもよく、ドーム形状であってもよく、下方が直方体で上方が切り妻型や片流れ型である形状であっても良い。また、包囲体１０のサイズはどのようなサイズであっても良い。
【００６５】
また、フレーム２０の形状は、上記実施の形態の形状に限定されるものではない。また、フレーム２０のサイズは、どのようなサイズであっても良い。フレーム２０の形状およびサイズは、例えば、包囲体１０が取り付け可能な形状であって、取り付けられた包囲体１０を支持可能な形状およびサイズであればよい。
【００６６】
また、上記実施の形態においては、包囲体１０がフレーム２０の内側に取り付けられる場合について説明したが、フレーム２０が、このフレーム２０に取り付けられた包囲体１０を支持することが可能であれば、包囲体１０がフレーム２０に対してどのように取り付けられるかは問わない。例えば、包囲体１０がフレーム２０の外側を覆うように取り付けられてもよい。
【００６７】
なお、包囲体１０には、外気を包囲体１０の内部に供給するための吸気装置（図示せず）設けられていてもよい。この吸気装置は、濾過した外気を包囲体の内部に供給するものであることが好ましい。この吸気装置は、例えば、外気を包囲体１０の内部に送風するファンと、このファンの吸気側または排気側に空気を濾過するフィルタを備えたものである。吸気装置は、例えば、包囲体１０の上面や側面に取り付けられる。ただし、取り付け位置は、これに限定されるものではない。
【００６８】
また、包囲体１０には、包囲体１０の内部の空気を外部に排気する排気装置（図示せず）が設けられていてもよい。この排気装置は、例えば、内部の空気を外部に送付するファンである。また、排気装置は、このファンの吸気側または排気側に空気を濾過するフィルタをさらに設けたものであっても良い。排気装置は、例えば、包囲体１０の側面の下方等に取り付けられる。ただし、取り付け位置は、これに限定されるものではない。なお、上記の吸気装置や排気装置が有する空気を濾過するフィルタとしては、例えば、ＨＥＰＡ（高性能微粒子エアフィルタ）が利用可能である。
【００６９】
（第一の変形例）
上記実施の形態においては、包囲体１０を支持するためのフレーム２０に包囲体１０を取り付けるようにした場合について説明したが、シート１０１で構成される包囲体１０が、予め決められた形状（例えば、直方体形状）となるように保形して設置可能であれば、フレーム２０は省略して、包囲体１０をフレーム２０に取り付けないようにしてもよい。例えば、フレーム２０を設けないようにして、包囲体１０を部屋の天井に取り付けるようにしてもよい。例えば、包囲体１０を部屋の天井に吊り下げるようにしても良い。例えば、包囲体１０の上部の辺や、天面等を天井に取り付けることで、包囲体１０を設置することができ、フレームなしでクリーンブース１を設置することができる。この場合、包囲体１０を天井に直接取り付けてもよく、紐やベルト等を介して天井に間接的に取り付けてもよい。また、この場合、包囲体１０は、取り付け具を用いて着脱可能に天井に取り付けられるようにすることが好ましい。このような取り付け具は、例えば、例えば、天井の包囲体１０が取り付けられる位置や、包囲体１０の天井と取り付けられる位置に設けられる。包囲体１０を着脱可能に取り付けることができる取り付け具は、例えば、磁石や、面ファスナーや、フック等である。なお、これ以外の着脱可能な取り付け具を用いてもよい。包囲体１０を、着脱可能に取り付けられるようにすることで、必要なときに包囲体１０を取り付けて、クリーンブース１を設置することができる。
【００７０】
図５は、このようなクリーンブース１の第一の変形例を示す図である。
例えば、図５に示すように、包囲体１０の天面の周囲に、複数のベルト３０５を取り付け、このベルト３０５の包囲体１０とは反対側となる部分を天井に対して取り付けることで、包囲体１０を天井６０に吊すことで、クリーンブース１を設置するようにしても良い。ここでは、天井６０のベルト３０５が取り付けられる位置と、ベルト３０５の天井６０と取り付けられる位置とに、ベルト３０５を着脱可能に取り付けるための取り付け具３０６が設けられており、この取り付け具３０６を用いて、ベルト３０５を着脱可能に取り付けることが可能となっている。ここでは、この取り付け具３０６が、天井６０とベルト３０５との両者に取り付けられた磁石である場合を例として示している。なお、取り付け具３０６は、天井に取り付けられた鉄のプレートと、ベルト３０５に取り付けられた磁石等との組み合わせ等であっても良い。なお、クリーンブース１を天井に取り付ける場合においても、更にフレーム２０を設けるようにし、このフレーム２０に包囲体１０を取り付けるようにしてもよい。この場合、クリーンブース１は、フレーム２０により上方から吊り下げても、吊り下げなくてもよい。
【００７１】
（第二および第三の変形例）
上記実施の形態においては、クリーンブース１が有するシート１０１で構成された包囲体１０が、対象空間の天面および側面全体を包囲している場合について説明したが、包囲体１０は、結果的に紫外線が照射される対象空間を包囲することができるものであれば、対象空間の天面および側面全体を包囲しているものに限られるものではない。
【００７２】
例えば、紫外線が照射される対象空間を、部屋の床面と床面以外の内面とに接している空間とする場合、クリーンブース１が有するシート１０１で構成された包囲体１０は、この対象空間の、部屋の床面と床面以外の内面とに接する部分以外を包囲するものであっても良い。ここでの部屋は、任意の部屋である。この部屋は、部屋内に対象空間を有する部屋である。この部屋は、クリーンブース１を設置する部屋と考えてもよい。部屋の床面以外の内面とは、例えば、部屋の壁面または天井の少なくとも一部である。
【００７３】
図６は、このようなクリーンブースの第二の変形例を示す図（図６（ａ））、および第三の変形例を示す図（図６（ｂ））である。
【００７４】
例えば、図６（ａ）に示す第二の変形例のように、クリーンブース１は、部屋の床面６１から天井６０まで達する対象空間の、側面を包囲する包囲体１０を備えたものであってもよい。このクリーンブース１は、部屋の天井６０を、クリーンブース１の天面として利用するものと考えてもよい。
【００７５】
また、図６（ｂ）に示す第三の変形例のように、クリーンブース１は、部屋の床面６１から天井６０までに達する対象空間であって、部屋の側壁６２に接する対象空間の、部屋の床面６１、天井６０および側壁６２と接する部分以外の側面を包囲する包囲体１０を備えたものであってもよい。このクリーンブース１は、部屋の天井６０および側壁６２の一部を、クリーンブース１の天面および側面の一部として利用するものと考えてもよい。
【００７６】
この第二および第三の変形例の包囲体１０は、それぞれの対象空間を囲むように設けられたシート１０１で構成されたカーテン等と考えてもよい。この第二および第三の変形例のクリーンブース１はフレーム２０を有しておらず、例えば、ボタンや、フック、面ファスナー、カーテンレール等の取り付け具（図示せず）により、部屋の天井に着脱可能となるよう取り付けられている。ただし、包囲体１０の天井等への取付け方は問わない。また、第二および第三の変形例のクリーンブース１は、包囲体１０を支持するためのフレームを有していても良く、包囲体１０がこのフレームに取り付けられるようにしてもよい。第二および第三の変形例のクリーンブース１においては、入出用扉１０３の取り付け位置や数は問わない。また、第二および第三の変形例のクリーンブース１においても、包囲体１０は、一以上の窓１０４を有していても良い。この場合の窓１０４の取り付け位置や数等は問わない。
【００７７】
なお、第二の変形例において、包囲体１０は、一のシート１０１の床面６１に対して平行ではない２つの辺の少なくとも一部同士や、床面６１に対して平行ではない１つの辺の少なくとも一部と他の部分とを、線ファスナーや面ファスナーやボタンや磁石等により着脱可能に接続したものであってもよい。また、第二および第三の変形例において、包囲体１０は、２以上のシート１０１を、線ファスナーや面ファスナーやボタンや磁石等により着脱可能に接続したものであってもよい。例えば、隣接して配置されるシート１０１の、床面６１に対して平行ではない隣接する辺同士を着脱可能に接続したものであってもよい。かかることは、後述する第四の変形例においても同様である。
【００７８】
上記の第二および第三の変形例において、部屋内の、床面６１から天井６０まで達する高さの対象空間の側面を包囲する包囲体１０を天井６０に着脱可能に取り付ける取り付け具としては、例えば、天井６０に予め取り付けられたベース部材と、このベース部材に対して着脱可能に取り付けられる吊り部材とを有する吊り具を用いることが好ましい。包囲体１０は、この吊り具の吊り部材に対して取り付けられる。
【００７９】
図７は、このような吊り具の一例である吊り具７０を説明するための図である。吊り具７０は、着脱機構を有しており、ベース部材７１と吊り部材７２とが着脱可能に取り付けられるようになっている。吊り部材７２の下方には包囲体１０をつり下げるためのかぎ爪状のフック７２１が設けられている。この着脱機構は、特開２００７−３０７０８３号公報に記載されているような着脱機構であるとする。この着脱機構の詳細については、当該特許文献を参照されたい。
【００８０】
この吊り具７０においては、図７（ａ）に示すように、吊り部材７２の挿入部７２２を、ベース部材７１の挿入口７９から挿入させて、吊り部材７２を右方向に９０度回転させると、図７（ｂ）に示すように、着脱機構によって吊り部材７２が、ベース部材７１に支持される。また、吊り部材７２を持ち上げて、左に９０度回転させることにより、吊り部材７２の挿入部７２２を、挿入口７９から抜き外すことができる。
【００８１】
複数の吊り具７０のベース部材７１を、予め、クリーンブース１を設置する部屋の天井６０の、紫外線を照射する対象空間の周囲に沿った位置に、任意の間隔を隔てて取り付けておくようにし、各ベース部材７１に上記のように吊り部材７２を取り付け、図７（ｃ）に示すように、カーテン状の包囲体１０の上端に設けられた複数の孔１５０にフック７２１を通した複数の吊り部材７２を、それぞれ、天井６０に取り付けられたベース部材７１に取り付けることで、包囲体１０を複数の吊り具７０により、対象空間の周囲に沿って吊すことができる。なお、包囲体１０のフック７２１を掛ける孔１５０は、ハトメ等で補強することが好ましい。なお、吊り部材７２を、ベース部材７１に取り付けた後、孔１５０にフック７２１を通すことで、包囲体１０を吊り部材７２に取り付けるようにしてもよい。
【００８２】
また、吊り部材７２を、ベース部材７１から外すことで、包囲体１０を容易に取り外すことができる。なお、包囲体１０を吊り部材７２から取り外した後、吊り部材７２をベース部材７１から取り外してもよい。
【００８３】
また、包囲体１０を部屋の天井６０に取り付けるために用いられる着脱機構を有する吊り具は、上記の吊り具７０に限定されるものではない。例えば、吊り具としては、他の着脱機構を有する吊り具を用いてもよい。例えば、この吊り具は、上記の吊り具７０のように、ベース部材と、ベース部材に着脱可能に取り付けられる吊り部材とを有するものであれば、上記以外の構造を有するものを用いてもよい。また、上記においては、吊り部材７２のかぎ爪状のフック７２１に包囲体１０の孔を掛けて、包囲体１０を吊すようにしたが、吊り具の吊り部材は、包囲体１０を吊すことが可能な構造を有していれば、フック７２１以外のつり下げ構造を有していても良い。例えば、吊り部材は、包囲体１０を挟んで吊すクランプ（図示せず）や、クリップ（図示せず）等を、つり下げ構造として有していても良い。このつり下げ構造が設けられる位置は問わない。
【００８４】
上記の第二および第三の変形例のように、包囲体１０を天井６０につり下げられるようにして、クリーンブース１を部屋内に設置できるようにすることにより、クリーンブース１を容易に設置することができ、設置した部分を、部屋内の他の部分に与える影響を抑えつつ、紫外線照射によって容易に殺菌することができる。また、殺菌後に、つり下げた包囲体１０を取り外すことにより、クリーンブース１を容易に撤去できる。
【００８５】
（第四の変形例）
図８は、本実施の形態の第四の変形例のクリーンブースを説明するための包囲体１０を取り付けた状態の斜視図（図８（ａ））および包囲体１０を取り外した状態の斜視図（図８（ｂ））である。
【００８６】
上記第二および第三の変形例においては、天井６０につり下げられる包囲体１０を備えたクリーンブース１の例について説明したが、クリーンブース１は、対象空間を有する部屋の、床面６１と天井６０との間に取り付けられる複数の支柱８１と、複数の支柱８１に沿って取り付けられる包囲体１０とを備えたものであってもよい。対象空間が配置される部屋とは、クリーンブースが設置される部屋と考えてもよい。以下、このようなクリーンブースの一例について図８を用いて説明する。
【００８７】
クリーンブース１は、複数の支柱８１と、包囲体１０とを有している。複数の支柱８１は、対象空間の周囲に沿って配置される。対象空間の周囲に沿って配置されるということは、対象空間の輪郭や、対象空間の内周や外周に沿って配置されることも含むと考えてもよい。対象空間の周囲は、例えば、対象空間を床面６１等に投影した場合の輪郭や投影した領域の輪郭線上等である。配置間隔等は一定であってもよく、一定でなくてもよい。また、配置される支柱８１の数は、複数の支柱８１に取り付けられる包囲体１０により、対象空間を包囲して他の空間から区切ることが可能であればその数は問わない。例えば、図６（ｂ）に示したように、部屋の１以上の壁を対象空間の側面の一部として利用する場合、支柱８１の数は少なくとも２以上であることが好ましい。また、部屋の１以上の壁を対象空間の側面の一部として利用しない場合、支柱８１の数は、少なくとも３以上であることが好ましい。なお、以下においては、図６（ａ）と同様に、部屋の側面が、対象空間の側面の一部を構成していない場合を例に挙げて説明する。ただし、部屋の側面が対象空間の一部を構成していてもよい。また、ここでは、包囲体１０に窓や扉等が設けられていない例について説明するが、窓や扉等が設けられていても良い。
【００８８】
支柱８１は、対象空間を有する部屋の、床面６１と天井６０との間に取り付けられる。例えば、支柱８１は、対象空間を有する部屋の、床面６１と天井６０との間に、取り外し可能となるよう取り付けられる。床面６１と天井６０との間に取り付けられるということは、例えば、床面６１と天井６０とに接するように配置されることである。支柱８１の床面６１と天井６０とに接する部分には、支柱８１が安定して取り付けられるようにするための、フランジや、設置金具等（図示せず）が設けられていてもよい。ここでは、対象空間の平面形状が矩形であり、四本の支柱８１が、この矩形の四隅となる部分に配置されている例について説明する。このように支柱８１は、対象空間の隅のそれぞれに配置されることが好ましい。
【００８９】
支柱８１は、例えば、伸縮可能な支柱であってもよい。例えば、支柱８１は、いわゆる突っ張り棒等のように、床面６１と天井６０との間に押し当てて固定する伸縮可能な構造を有する支柱であってもよい。例えば、支柱８１は、床面６１および天井６０方向に支柱８１の両端を押しつけるためのスプリング等の付勢手段を有していても良い。支柱８１の底面と接する位置には、支柱８１の長さを調整するためのジャッキベース等の金具が設けられていても良く、この金具は、支柱８１の一部と考えてもよい。ここでは、支柱８１が、高さを伸縮調整して固定可能な支柱である場合を例に挙げて説明する。なお、支柱８１の伸縮構造等については、公知技術であるため、ここでは詳細な説明は省略する。
【００９０】
また、支柱８１の上部等には、包囲体１０の上部を挟んで保持するためのクランプやクリップ等が設けられていてもよい。ここでは、支柱８１の上端近傍に、包囲体１０の上方の一部をはさみ込むための、クランプ８１１が設けられている場合について説明する。ここでは、このクランプ８１１がスプリングクランプである場合を例に挙げて説明するが、クランプ８１１は、どのようなクランプであってもよい。なお、支柱８１の構造等は、上記の構造等に限定されるものではない。
【００９１】
包囲体１０は、対象空間の側面を包囲するように、複数の支柱８１に取り付けられる。例えば、包囲体１０は、図６（ｂ）等と同様に、部屋の床面６１から天井６０まで達する対象空間の、側面を包囲するように、支柱８１に取り付けられる。ここでは、包囲体１０は、複数の支柱８１の外側の、天井６０から床面６１までを包囲するように配置される。この包囲体１０は、例えば、カーテン状の包囲体である。ただし、包囲体１０を支柱８１の内側に配置してもよい。また、包囲体１０は、各支柱８１の上端に設けられたクランプ８１１により上端側の一部がそれぞれ挟まれて保持されている。これにより、包囲体１０が落下しないように保持される。なお、包囲体１０は、支柱８１の上端以外の部分において、支柱８１に取り付けられていてもよい。この取り付け方としては、上記実施の形態１のフレーム２０への包囲体１０の取り付け方と同様の構造が利用可能である。なお、包囲体１０は、隣接する支柱８１間を塞ぐように、各支柱８１間に取り付けてもよい。
【００９２】
なお、複数の支柱８１の設置後に、包囲体１０を取り付ける代わりに、包囲体１０を取り付けた状態の複数の支柱８１を、部屋内の対象空間とする領域の周囲に設置するようにしてもよい。
【００９３】
このような変形例においては、複数の支柱８１を、部屋内の対象空間とする領域の周囲の床面６１と天井６０との間にそれぞれ配置するとともに、この複数の支柱８１の側面を、天井６０から底面まで包囲体１０で覆うことで、容易に、クリーンブース１を設置することができる。また、支柱８１を有することにより、クリーンブース１の保形性がよい。また、包囲体１０をつり下げるための取り付け具やその一部を、予め部屋の天井等に設けておく必要がなく、支柱８１を立てるだけでクリーンブース１を設置でき、包囲体１０を、取り付け具等を用いて部屋の天井６０に取り付ける場合よりも容易に、クリーンブース１を設定することができる。
【００９４】
なお、対象空間の側面の１以上として、対象空間が設定される部屋の側壁を利用する場合、この側壁の表面には、包囲体１０を設けてもよく、包囲体１０を設けないようにしてもよい。
【００９５】
また、図７を用いて説明した吊り具７０と同様の着脱構造を用いることで、支柱８１の上端を天井６０に着脱可能に取り付けるようにしてもよい。例えば、天井６０にベース部材７１を取り付けるとともに、支柱８１の上端に、このベース部材７１に着脱可能な挿入部７２２を設けるようにしてもよい。この場合、支柱８１を操作して、支柱８１を天井６０に取り付けることができ、吊り具７０を天井等に取り付けるために、脚立等にのぼる必要がなく、包囲体１０を容易に取り付けることが可能となる。
【００９６】
上記の第四の変形例のように、複数の支柱８１を取り付け、これに包囲体１０が取り付けられているようにすることで、クリーンブースを部屋内に容易に設置でき、クリーンブースを設置した部分を、部屋内の他の部分に与える影響を抑えつつ、紫外線照射によって容易に殺菌することができる。
【００９７】
（第五の変形例）
図９は、本実施の形態の第五の変形例のクリーンブースの斜視図である。
図１０は、包囲体１１を構成するシート１１１の一例を示す斜視図、
図１１は、包囲体１１のシート１１１の上辺近傍を示す部分斜視図、
図１２は、部屋の天井に取り付けた包囲体１１の上辺近傍の一部分を、下方からみた斜視図（図１２（ａ））、部屋の天井に取り付けた包囲体１１の上辺近傍の一部分の側面図（図１２（ｂ））、および、包囲体１１の取付部１１２の一の貫通孔１１３に、支柱８１の上端を通した状態を模式的に示す側面図（図１２（ｃ））である。
【００９８】
この変形例のクリーンブース１は、上記の第四の変形例のクリーンブースと同様に、対象空間を有する部屋の、対象空間とする領域の周囲の床面６１と天井６０との間に取り付けられる複数の支柱８１と、複数の支柱８１に沿って取り付けられる包囲体１１とを備えたものである。ただし、この変形例においては、包囲体１１の上辺近傍の構造が、第四の変形例の包囲体１０とは異なっている。対象空間が配置される部屋とは、クリーンブースが設置される部屋と考えてもよい。以下、このようなクリーンブースの一例について図８を用いて説明する。なお、このクリーンブース内においても、上記実施の形態と同様に、紫外線照射器５０により、紫外線照射が行われるものとする。
【００９９】
この変形例においては、各支柱８１が、図７を用いて説明した吊り具７０と同様の着脱構造により、支柱８１の上端が天井６０に着脱可能に取り付けられる場合を例に挙げて説明する。具体的には、天井６０にベース部材７１が取り付けられ、支柱８１の上端には、このベース部材７１に着脱可能な挿入部７２２が設けられている。そして、この挿入部７２２を、図７で示した挿入口７９と同様の、ベース部材７１の挿入口（図示せず）から挿入することで、各支柱８１が、天井６０に着脱可能に固定される。なお、支柱８１のこの具体例において特に説明していない部分については、上記の第四の変形例と同様の構造が利用可能である。また、ここでの支柱８１の天井６０に取り付けるための構造等は一例であり、支柱８１を天井６０に取り付けるための構造や、取り付け方は、上記の例に限定されるものではない。
【０１００】
包囲体１１は、複数の支柱８１に沿って、複数の支柱８１の外側を包囲するよう配置される１または２以上のシートの組み合わせで構成される。ここでは、包囲体１１が、２以上の図１０に示したようなシート１１１の組み合わせで構成される場合を例に挙げて説明する。ただし、包囲体１１は、１枚のシートで構成されていてもよい。また、包囲体１１は、上部および下部が開口している筒状のシートであってもよい。
【０１０１】
包囲体１１を構成する各シート１１１は、各シート１１１の上辺近傍の、上辺よりも下方となる位置に、上辺に沿って、シート１１１を天井６０に取り付けるために用いられる取付部１１２を有している。取付部１１２は、長辺の一方が、シート１１１の上辺から所定の距離だけ下方となる位置に設けられた帯状のシートであって、支柱の上端を通すための複数の貫通孔１１３が、長手方向に向かって複数設けられているシートである。取付部１１２は、シート１１１の上辺に対して平行に設けられていることが好ましい。なお、取付部１１２は、シート１１１の上辺から所定の距離だけ離れた位置に設けられた複数の貫通孔１１３を有するひだ状のシートと考えてもよい。シート１１１の材質としては、上記で説明したシート１０１等と同様の材質のものが利用可能である。取付部１１２の帯状のシートの材質としては、上記で説明したシート１０１等と同様の材質のものが利用可能であるが、これ以外の材質のものを用いてもよい。
【０１０２】
取付部１１２は、例えば、シート１１１の上辺から、３０ｍｍ以上、１００ｍｍ以下となる距離だけ下方となる位置に設けられていることが好ましく、４０ｍｍ以上、７０ｍｍ以下となる距離だけ下方となる位置に設けられていることがより好ましい。また、取付部１１２の幅は、４０ｍｍ以上、１００ｍｍ以下であることが好ましい。ここでは、幅５０ｍｍの取付部１１２がシート１１１の上辺から５０ｍｍだけ、下方に取り付けられている場合を例に挙げて説明する。ただし、上記の取付部１１２の取り付け位置や、取付部１１２の幅は一例であり、上記の取り付け位置やサイズに限定されるものではない。
【０１０３】
シート１１１のサイズは、幅が３０００ｍｍ、高さが２７００ｍｍである。ただし、シート１１１のサイズは、このサイズに限定されるものではない。シート１１１の高さは、シート１１１を取り付けた状態で、天井６０から床面６１に達する長さとすることがこのましい。
【０１０４】
複数の貫通孔１１３は、例えば、一定の間隔で設けられている。ここでは、取付部１１２の、シート１１１の左端から１００ｍｍ離れた位置から、１００ｍｍ間隔で合計２４箇所に、直径１５ｍｍの貫通孔１１３が設けられている。貫通孔１１３は、取付部１１２の幅方向の中心に設けられている。ただし、貫通孔１１３が設けられている間隔や、直径等は上記に限定されるものではない。
【０１０５】
各貫通孔１１３には、補強のためのハトメ１１３ａがはめ込まれている。ハトメ１１３ａは省略してもよい。複数の貫通孔１１３は、例えば、一定の間隔で配置されている。この具体例においては、支柱８１の上端は、太さが貫通孔１１３を通過可能なサイズであり、上端よりも下方の部分の太さが、貫通孔１１３よりも大きいサイズとなっており、支柱８１の上端を、図１２（ｃ）に示すように、一の貫通孔１１３に通して、天井６０のベース部材７１に取り付けることで、図１２（ａ）および図１２（ｂ）のように、取付部１１２の、この一の貫通孔１１３が設けられている部分が、支柱８１の上端の下方の、太さが貫通孔１１３よりも太い部分で下から支えられて、天井６０に取り付けられる。一枚のシート１１１に設けられた取付部１１２の２以上の貫通孔１１３を、それぞれ支柱８１により天井６０に取り付けることで、シート１１１を支柱８１に沿って天井から吊るすことが可能となる。ここでは、取付部１１２が、対象空間の外側に位置するよう、シート１１１を天井６０に取り付ける。なお、支柱８１の先端には、ここでは、上記で説明したような挿入部７２２が設けられており、この挿入部７２２と、ベース部材７１との組み合わせで、支柱８１を天井６０に取り付けることができる。複数のシート１１１を、複数の支柱８１を利用して、対象空間を囲むよう取り付けることで、対象空間の周囲を囲む包囲体１１を設置することができる。なお、隣り合う複数のシート１１１は、一部が重なりあうよう取り付けてもよい。また、複数のシート１１１の重なり合う部分は、マグネットや面ファスナー、ボタン等で着脱可能に取り付けられるようにしてもよい。また、重ね合わせた異なるシート１１１の貫通孔１１３に、一の支柱８１を通すようにしてもよい。
【０１０６】
ここで、シート１１１を天井６０に取り付ける際に、図１２（ａ）および図１２（ｂ）に示すように、シート１１１の、取付部１１２が取り付けられている部分よりも上方の部分１１１ａを、取付部１１２とは反対側に曲がるように取り付けて、この上方の部分１１１ａの少なくとも一部が天井６０に接するようにする。このようにシート１１１を取り付けることで、シート１１１と、天井６０との隙間を塞ぐことができ、包囲体１１内から外部への紫外線の漏れを防ぐことができる。外部から包囲体１１内への外部から粉塵などの粒子や、ウィルス、虫等が侵入することを防ぐことができる。
【０１０７】
なお、取付部１１２の取り付け位置や、取付部１１２の幅は、シート１１１を天井６０に取り付けた状態で、シート１１１の取付部１１２が取り付けられている部分よりも上方の部分１１１ａが、天井６０に接するようになるような位置およびサイズであれば、上述したような位置やサイズに限定されるものではない。取付部１１２の取り付け位置や、取付部１１２の幅は、シート１１１を天井６０に取り付けた状態で、シート１１１の、取付部１１２が取り付けられている部分よりも上方の部分１１１ａの、取付部１１２が取り付けられている側の面の一部が、天井６０に接するようになるような位置およびサイズであることが、天井６０との隙間を面で塞げることから好ましい。
【０１０８】
また、上記においては、取付部１１２が、対象空間の外側に位置するよう、シート１１１を天井６０に取り付ける場合について説明したが、取付部１１２が、対象空間の内側に位置し、シート１１１の上方の部分１１１ａが、取付部１１２とは反対側に曲がるようにシート１１１を天井６０に取り付けてもよい。
【０１０９】
また、上記においては、シート１１１の上方の部分１１１ａが、取付部１１２に対して反対側に曲がるよう、シート１１１を天井６０に取り付ける例について説明したが、シート１１１の上方の部分１１１ａの一部が、天井６０に当接されて、この上方の部分１１１ａが、下方から押し曲げられて、押しつぶされたり、たるむように、シート１１１が天井に取り付けられてもよい。このような場合も隙間を、この押しつぶされた部分やたるんだ部分で塞ぐことができる。つまり、シート１１１は、取付部１１２を天井６０に取り付けることにより、包囲体１１を構成するシート１１１の取付部１１２よりも上方の部分１１１ａが天井に接するようになるものであればよい。
【０１１０】
また、上記においては、支柱８１により、取付部１１２を天井６０に取り付ける場合について説明したが、取付部１１２の取り付け方は、このような取り付け方に限定されるものではなく、例えば、上記の第四の変形例のように貫通孔１１３に通すことが可能な天井６０に取り付けられたフック（図示せず）等を利用して天井６０に取付部１１２を取り付けてもよい。
【０１１１】
また、上記においては、一のシート１１１に取り付けられる取付部１１２が、貫通孔１１３を有する一枚の帯状のシートで構成されている場合について説明したが、取付部１１２は、シート１１１の上辺に沿って、シート１１１の上辺から所定の距離だけ下方となる位置に取り付けられた貫通孔１１３を有する複数の小片状のシートであってもよい。
【０１１２】
また、この変形例においては、シート１１１に対して、取付部１１２がどのように取り付けられているかは問わない。例えば、シート１１１に取付部１１２の帯状のシートの長辺が接着されていてもよく、縫製されていてもよい。また、シート１１１の取付部１１２の取り付け位置よりも下方の部分と、取付部１１２の帯状のシートが、一のシート（図示せず）で構成されており、シート１１１の取付部１１２が取り付けられている部分よりも上方の部分１１１ａとなる帯状のシート（図示せず）が、上記の一のシートに取り付けられていてもよい。
【０１１３】
なお、この変形例においては、上記の第四の変形例のように、対象空間の一部が、部屋の床面以外の内面（例えば壁）と接しており、包囲体１１が、この対象空間の、部屋と接する部分以外の側面を包囲する場合について説明したが、この変形例の包囲体１１は、対象空間の側面を、他の空間から仕切ることが可能となるよう包囲できるものであれば、対象区間の側面にどのように配置されてもよく、例えば、部屋の側面（例えば、壁）とは接していない対象空間の側面の全周を覆うように包囲体１１が配置されてもよい。かかることは、上記の第四の変形例等においても同様である。
【０１１４】
また、この変形例においては、クリーンブースとして、取付部１１２が設けられたシート１１１を備えたクリーンブースを例に挙げて説明したが、この変形例のクリーンブースは、紫外線が照射される部屋の床面から天井まで達する対象空間の側面を包囲する、紫外線を反射するシートで構成されている包囲体であって、包囲体を構成するシートの上辺から所定の距離だけ下方となる位置に、包囲体を天井に取り付けるための取付部を有しており、取付部を天井に取り付けることにより、包囲体を構成するシートの取付部よりも上方が天井に接するようになるクリーンブースであれば、上記で説明したクリーンブースに限定されるものではない。
【０１１５】
本発明は、以上の実施の形態に限定されることなく、種々の変更が可能であり、それらも本発明の範囲内に包含されるものであることは言うまでもない。
【産業上の利用可能性】
【０１１６】
以上のように、本発明にかかるクリーンブース等は、簡易に設置可能なクリーンブース等として適しており、特に、紫外線を内部に照射して殺菌を行うクリーンブース等として有用である。
【図１】
0006944735.tif 000002
【図２】
0006944735.tif 000003
【図３】
0006944735.tif 000004
【図４】
0006944735.tif 000005
【図５】
0006944735.tif 000006
【図６】
0006944735.tif 000007
【図７】
0006944735.tif 000008
【図８】
0006944735.tif 000009
【図９】
0006944735.tif 000010
【図１０】
0006944735.tif 000011
【図１１】
0006944735.tif 000012
【図１２】
0006944735.tif 000013